(57)【要約】【課題】ＦＲＲ給紙方式を適用したエンドフェンスを用いない給紙装置において、給紙性能と分離性能を高めた給紙装置、及び上記給紙装置を備えた画像形成装置を提供する。【解決手段】重送された用紙の揃った先端部の分離を行う可能性がある期間に、積載された用紙に当接状態となっているピックアップコロ１１０を有し、リバースコロ１３０により逆送された用紙１０２の座屈部分が退避可能な空間を備えた。上記空間の開口部を塞ぐように、開閉可能な蓋を設けてもよい。上記リバースコロ１３０が搬送方向に対して逆転したときに上記開口部の蓋が連動して開き、上記逆転コロにより戻され座屈した用紙が、上記空間に回避可能にしてもよい。【選択図】図２
2015107846.tif 000002
【特許請求の範囲】
【請求項１】
用紙積載部に複数枚積載された用紙へ接離可能な呼び出しコロと、該呼び出しコロの下流側に給送する給紙コロ、及び該給紙コロと対をなす逆転コロを備えた給紙装置において、
重送された用紙の揃った先端部の分離を行う可能性がある期間、上記呼び出しコロを上記積載部の用紙に当接させ、かつ、上記呼び出しコロと、上記給紙コロと上記逆転コロからなる分離部との間の搬送経路上に、上記逆転コロにより用紙の搬送方向上流側に送られた用紙の座屈部分が退避可能な空間を設け、上記逆転コロにより逆送された用紙が、上記空間に回避することを特徴とした給紙装置。
【請求項２】
請求項１に記載の給紙装置において、
上記空間の開口部を塞ぐように、開閉可能な蓋を設けることを特徴とした給紙装置。
【請求項３】
請求項２に記載の給紙装置において、
上記逆転コロが搬送方向に対して逆転したときに上記開口部の蓋が連動して開き、上記逆転コロにより戻され座屈した用紙が、上記空間に回避可能であることを特徴とした給紙装置。
【請求項４】
請求項２に記載の給紙装置において、
上記蓋に用紙の座屈力よりも弾性の低い部材を用い、上記逆転コロにより戻された用紙の座屈部分が前記部材に当接して歪み、戻された用紙が上記空間に回避可能なことを特徴とした給紙装置。
【請求項５】
給紙装置を備えた画像形成装置において、
上記給紙装置として、請求項１乃至４のいずれか一に記載の給紙装置を備えることを特徴とした画像形成装置。
【発明の詳細な説明】
【技術分野】
【０００１】
本発明は、積載した用紙を１枚ずつ給紙する給紙装置、及びこの給紙装置を備えた画像形成装置に関するものである。
【背景技術】
【０００２】
従来、画像形成装置の給紙装置において、ＦＲＲ給紙方式を適用した給紙装置が広く知られている。
図１５はＦＲＲ給紙方式を適用した給紙装置の構造を示す概略図である。図１５には、積載部１に積載された用紙の最上紙２が、ピックアップコロ４によりフィードコロ５とリバースコロ６のニップ部（以下、分離部という）まで送られた状態を示している。このとき、上記用紙２との摩擦力や密着力により引き出された上から２枚目の用紙３もニップ部に送られている状態を示す。
【０００３】
用紙に接離可能に設けられたピックアップコロ４は、用紙を分離部に搬送した後、紙面より離れる。リバースコロ６は用紙の進行方向と逆に駆動している駆動軸を有し、リバースコロ６と上記駆動軸との連結部にはトルクリミッタ（図示せず）が設けられている。用紙搬送の際、リバースコロ６は上記トルクリミッタを介してフィードコロ５に従動して回転している。図１５に示すように分離部に用紙が複数枚重なって搬送されてきた場合、フィードコロ５とリバースコロ６間の摩擦負荷が軽くなり、リバースコロ６が上記駆動軸の回転につられて逆転し、２枚目の用紙３を用紙の進行方向上流側に押し戻して１枚ずつ分離する。
【０００４】
この方式は、用紙の分離に摩擦係数のみを利用し、さらに分離力をトルクリミッタの戻し力に分担させるため、ローラに摩擦係数の最も高いものを採用できる。また、リバースコロ６の作動圧を補正する機構が設けられているため（図示せず）、適用用紙の範囲が広く、分離性能の高い給紙方式である。
【発明の概要】
【発明が解決しようとする課題】
【０００５】
印刷紙種の多様化により、給紙装置には多様な紙種への適応が求められている。しかし、従来のＦＲＲ給紙方式を手差し給紙装置等のエンドフェンスを備えない給紙装置に適用した場合、再給紙不能な状態に陥りやすくなる。以下エンドフェンスを備えない給紙装置にＦＲＲ給紙方式を適用した場合の分離搬送のメカニズムを、図１６乃至１９を用いて説明する。
【０００６】
図１６乃至１９は手差し給紙装置にＦＲＲ給紙方式を適用した場合の分離搬送を説明する概略図である。図１６は、手差しトレイ７に用紙を積載した状態を示している。図１７は、ピックアップコロ４により最上紙２とこの用紙２との摩擦力や密着力で引き出された２枚目の用紙３が分離部まで送られた状態を示している。図１８は、重送された用紙３を分離し、１枚ずつ搬送した状態を示している。図１９は、分離された用紙３が逆向きに送られている状態を示している。
【０００７】
図１６に示すように、手差しトレイ７に用紙を積載したとき、ピックアップコロ４は最上紙２から離れた状態になっている。画像形成装置の操作部（図示せず）にて「スタート」キーが押下されると、図１７に示すように、ピックアップコロ４が最上紙２に当接し、上記用紙２を分離部まで搬送する。
次に、図１８に示すように、最上紙２の先端部が用紙検知センサ８まで到達するとピックアップコロ４が最上紙２から離れ、リバースコロ６が重送していた２枚目の用紙３を分離し、フィードコロ５が最上紙２を１枚だけを搬送する。
【０００８】
ここで、用紙間の摩擦力以外の重送の主な原因として、用紙先端部のバリ（用紙の裁断時に出る「かえり」）や、用紙間の静電気による密着が挙げられる。これらの密着を原因とした重送は、重送用紙の先端部が揃っていることで発生し、言い換えれば、重送用紙の先端部を捌くことで分離することができる。したがって、先端部が揃って重送された用紙３を分離する際には、用紙間の摩擦力に加えて、上記バリや静電気を原因とした密着を捌く力が必要となる。このため、上記用紙３はリバースコロ６によって用紙間の摩擦力を上回る搬送力で勢い良く用紙の搬送方向上流側に送られる（以下、この送りを逆送という）。
【０００９】
しかしながら、従来のＦＲＲ給紙方式では、分離された用紙の逆送の際にピックアップコロ４が用紙の表面から離れている状態になる。このため、図１９に示すように、リバースコロ６の戻し力により勢い良く逆送された用紙３は、用紙間の摩擦を上回る搬送力によって用紙上を滑っていく。その結果、上記用紙３の先端部がピックアップコロ４の当接位置を通り過ぎて次ジョブでの給紙が不可能となったり、手差しトレイ７から落下したりしてしまう問題が生じる。
これらの問題は、逆送された用紙の勢いに対するブレーキ要素が、用紙間の摩擦のみしか無いために発生する。給紙カセットのようなエンドフェンスを用いた給紙装置では、用紙の滑り出しを防止することができたが、エンドフェンスを用いない手差し給紙装置では、用紙の滑り出しを防ぐことができない。
【００１０】
上記問題の対策として、重送された用紙の先端部の分離を行う可能性がある期間ピックアップ圧を当接状態にしておくことで、逆送された用紙の滑りの防止をすることが考えられる。
ところが、この対策では別の問題を生じさせてしまう。以下、ＦＲＲ給紙方式を適用した給紙装置においてピックアップ圧を当接したまま重送紙を分離し用紙を１枚ずつ搬送する条件を、図１５・図２０を用いて説明する。なお、重送紙を分離し用紙を１枚ずつ搬送する条件のことを分離搬送の条件という。
【００１１】
まず、従来のＦＲＲ給紙方式を適用した給紙装置における分離搬送の条件を、図１５を用いて説明する。用紙間の摩擦係数をμｐ、リバースコロ６と２枚目の用紙３との摩擦係数をμｒ、リバースコロ１３０の作動圧をＰｂとした場合の分離搬送の条件を数１に示す。
【数１】
2015107846.tif 000003
すなわち、分離部にて生じる用紙間の摩擦係数μｐとリバースコロ作動圧Ｐｂとによる２枚目の用紙１０２の搬送方向への搬送力μｐ・Ｐｂ（図中ａ）より、リバースコロ６と２枚目の用紙３との摩擦係数μｒとリバースコロ作動圧Ｐｂとによる２枚目の用紙３を逆送する向きへの搬送力μｒ・Ｐｂ（図中ｂ）の方が大きければ、用紙の１枚送りが可能である。
【００１２】
次に、ピックアップ圧を当接したまま分離を行うＦＲＲ給紙方式を適用した給紙装置においての分離搬送の条件を、図２０を用いて説明する。図２０は、ピックアップコロ４により最上紙２とこの用紙２との摩擦力や密着力で引き出された２枚目の用紙３とが分離部まで搬送された状態を示している。数１の定義に加えピックアップコロ４の当接圧をＦとした場合の分離搬送の条件を数２に示す。
【数２】
2015107846.tif 000004
数１に表す分離搬送の条件と比べると、数２にはピックアップコロ当接下部にて生じる最上紙２による２枚目の用紙３への搬送力μｐ・Ｆ（図中ｃ）と、分離した用紙３が逆送する際の搬送力の反力μｐ・Ｆ（２枚目の用紙３と３枚目の用紙間の摩擦力、図中ｄ）とが、分離部における２枚目の用紙３の搬送方向への搬送力μｐ・Ｐｂ（図中ａ）に加わっている。
分離搬送の条件を満たすには、２枚目の用紙３の逆送する向きへの搬送力が２枚目の用紙３の搬送方向への搬送力より大きくならなければならない。このため、数２の条件を満たすには数１と比べてリバースコロ６により高い摩擦係数が求められることが分かる。
【００１３】
しかし、図２０の給紙装置に摩擦係数の高いリバースコロ６を適用すると、リバースコロ６の表面の劣化や汚れに等により摩擦係数が低下した場合、２枚目の用紙３の逆送する向きへの搬送力が上記用紙３の搬送方向への搬送力に負け、容易に重送を起こしてしまう。以上の理由で、ＦＲＲ給紙方式を適用した給紙装置においてピックアップ圧を当接したまま用紙の分離を行う方法を適用すると、長期的には分離性能が維持できないという問題が生じる。
【００１４】
本発明は以上の問題に鑑みなされたものである。その目的は、逆送された用紙の次ジョブでの給紙が不可能な状態の発生や、逆送された用紙の給紙トレイからの落下をエンドフェンスを用いずに防止可能で、かつ分離性能を落しにくい給紙装置、及び、この給紙装置を備えた画像形成装置を提供することである。
【課題を解決するための手段】
【００１５】
上記課題を解決するために、請求項１に記載の発明は、用紙積載部に複数枚積載された用紙へ接離可能なピックアップコロ、上記ピックアップコロの用紙搬送方向下流側に位置するフィードコロ、及び、上記フィードコロと対をなすリバースコロとを備えた給紙装置において、重送された用紙の揃った先端部の分離を行う可能性がある期間、上記ピックアップコロを上記積載部の用紙に当接させ、かつ、上記ピックアップコロと上記リバースコロの間の搬送経路上に用紙の搬送方向上流側に送られた用紙の座屈部分が退避可能な空間を設けることを特徴とする。
【発明の効果】
【００１６】
以上、本発明によれば、分離性能の高いＦＲＲ給紙方式を手差し給紙装置等のエンドフェンスを用いない給紙装置に適用した場合でも、エンドフェンスを用いた給紙装置同等の分離性能を保ったまま、かつ、給紙性能を高める効果がある。
【図面の簡単な説明】
【００１７】
【図１】本実施形態に係る複写機の全体構成を示す概略構成図である。
【図２】図１の複写機における手差し給紙装置の要部の拡大図である。
【図３】本実施形態に係る複写機の手差し給紙装置の制御ブロック図である。
【図４】本実施形態に係る複写機の動作タイミング図である。
【図５】図２の状態からピックアップコロが積載された用紙に当接した状態を示す、説明図である。
【図６】図５の状態から送り出された用紙が分離部に到達した状態を示す説明図である。
【図７】図６の状態から重送された用紙が分離された状態を示す説明図である。
【図８】図７の状態からピックアップコロの当接が解除された状態を示す説明図である。
【図９】本実施形態に係る手差し給紙装置の第１の変形例の要部の拡大図である。
【図１０】図９の状態から分離された２枚目の用紙が座屈した状態を示す説明図である。
【図１１】図１０の状態から最上紙が分離部を抜け、分離部に用紙が１枚となった状態を示す説明図である。
【図１２】本実施形態に係る手差し給紙装置の第２の変形例の要部の拡大図である。
【図１３】図１２の状態から送り出された用紙が分離され、座屈した状態を示す説明図である。
【図１４】図１３の状態から最上紙が分離部を抜け、分離部に用紙が１枚となった状態を示す説明図である。
【図１５】従来のＦＲＲ給紙方式を適用した給紙装置の分離動作の説明図である。
【図１６】ＦＲＲ給紙方式を適用した手差し給紙装置の分離動作の説明図である。
【図１７】図１６の状態から重送した用紙が分離部に送られた状態を示す概略図である。
【図１８】図１７の状態から用紙を分離した状態を示す概略図である。
【図１９】図１８の状態から分離された用紙が送り戻される状態を示す概略図である。
【図２０】図１５の給紙装置において、ピックアップ圧を当接したまま分離を行う場合の分離動作の説明図である。
【発明を実施するための形態】
【００１８】
＜実施形態＞
以下、本発明を中間転写方式のタンデム型画像形成装置である電子写真方式の複写機に適用した一実施形態について、図面を用いて説明する。
図１は、本実施形態に係る複写機の全体構成を示す概略構成図である。
この複写機は、下部に給紙部１０が位置し、この給紙部１０の上方に画像形成部２０が、さらに、画像形成部２０の上方に原稿載置台３１を備えた原稿走査部３０が、それぞれ配置されている。
【００１９】
上記給紙部１０は、複数の給紙カセット１１と、この給紙カセット１１から繰り出される記録用紙の搬送路に配置された複数の搬送ローラ１２と、二次転写部の記録用紙搬送方向上流側に位置するレジストローラ対１３とを備えている。また、給紙カセット１１から繰り出される記録用紙の搬送路には、給紙カセット１１内に収容されていない種類の用紙を二次転写部に向けて給送できる構成として、手差し給紙機構１００を備えている。
この手差し給紙機構１００には、画像形成部２０の壁面の一部を起倒可能に設けた手差しトレイ１０３と、ピックアップコロ１１０、フィードコロ１２０、リバースコロ１３０とを備え、給紙方式としてはＦＲＲ給紙方式を採用している。
【００２０】
上記給紙カセット１１からレジストローラ対１３に向けた記録用紙の搬送路途中には、手差しトレイ１０３から繰り出された用紙の搬送路が合流している。そして、いずれの搬送路から給送される用紙もレジストローラ対１３によってレジストタイミングが設定されるようになっている。
【００２１】
上記画像形成部２０は、トナー像を担持する４つの感光体２１（イエロー、マゼンタ、シアン、ブラック）を有し、４つの感光体２１上に形成されたトナー像は、中間転写ベルト２２に順次転写（一次転写）される。中間転写ベルト２２は、複数のベルト張架ローラ（２２Ａ〜２２Ｄ）に掛け回されて回転駆動し、二次転写後の中間転写ベルト２２上に残留した転写残トナーは、ベルトクリーニング装置２３により除去される。
二次転写装置２４では、二次転写ベルト２４Ｂが駆動ローラ２４Ａの回転駆動により、中間転写ベルト２２に接触する二次転写部において、中間転写ベルト２２と同方向に表面移動される。そして、二次転写ベルト２４Ｂにより記録用紙を搬送する過程で、中間転写ベルト２２上の重畳トナー像あるいは単色トナー像を記録用紙に転写（二次転写）する。
【００２２】
二次転写された記録用紙は、表面に担持している未定着画像が定着装置２５によって定着される。定着装置２５を通過した記録用紙は、定着装置２５の後方に配置されている搬送路切り換え爪２６によって搬送方向が切り換えられるようになっており、排紙トレイ２７、あるいは反転されて再度レジストローラ対１３に向けて給送される。
【００２３】
書き込み装置２８は、原稿走査部３０に有する原稿載置台３１上の原稿を走査することにより得られる画像情報あるいは、図示しないコンピュータから出力される画像情報により書き込み光が制御される。そして、４つの感光体２１に対して画像情報に応じた静電潜像を形成するようになっている。
【００２４】
原稿走査部３０には、原稿載置台３１上の原稿を露光走査するスキャナ３２が備えられており、さらに原稿載置台３１の上面には、自動原稿給送装置３３が配置されている。自動原稿給送装置３３は、原稿載置台３１上に繰り出される原稿を反転可能な構成を備え、原稿の表裏各面での走査が行えるようになっている。
【００２５】
図２は、本実施形態に係る複写機の手差し給紙装置の要部の拡大図である。
この給紙装置は、呼び出しコロとしてのピックアップコロ１１０と、このピックアップコロ１１０の用紙搬送方向下流側に位置する給紙コロとしてのフィードコロ１２０、及び逆転コロとしてのリバースコロ１３０とを備えている。
また、ピックアップコロ１１０を用紙面に離接可能な機構として、Ｌ字型のピックアップアーム１１１、ピックアップ圧リンク１１２、ピックアップ圧リンク１１２、ピックアップ圧ソレノイド１１３、及び、ピックアップ圧スプリング１１４とを備えている。
さらに、駆動モータ１５０とタイミングベルト１５１を備え、上記タイミングベルト１５１によって駆動モータ１５０からの駆動を上記３つのコロへ伝える。タイミングベルト１５１と駆動モータ１５０間には、電磁クラッチを有する駆動ギヤを備え（図示せず）、さらに、タイミングベルト１５１とリバースコロ１３０間には、リバーストルクリミッタ１３１を備えている。
加えて、分離パッド１４０と、規制部材１４１とを備え、積載された用紙が分離部に大量に送られるのを防いでいる。
【００２６】
本発明の特特徴部としては、ピックアップコロ１１０とリバースコロ１３０の間の搬送経路上に用紙の搬送方向上流側に送られた用紙の座屈部分が退避可能な空間を有している。この用紙の座屈部分が退避可能な空間を座屈空間という。
この座屈空間は、ピックアップコロ１１０と分離部までの用紙の搬送経路下部を凹部形状としており、加えて、本発明の効果を得るために、搬送方向の距離を６ｍｍ以上設けている。また、座屈空間の広さは用紙の座屈部が十分に退避できる範囲とし、適用する画像形成装置の印刷速度や、給紙速度にあわせて設定する。
【００２７】
各部の制御は、図３に示す制御部にて行う。
図３は、図１に示す複写機の制御部２００において、給紙装置に係る制御を示す制御ブロック図である。
制御部２００は、操作部２５０への表示情報の送出や、入力されたキー情報の取り込みを行い、ピックアップ圧ソレノイド１１３、駆動モータ１５０及びレジストモータ１５の駆動の制御を行う。また、用紙検知センサ（図示せず）や、レジストセンサ１４からの検出信号を受けて、ピックアップ圧ソレノイド１１３、駆動モータ１５０及びレジストモータ１５の駆動の制御を行う。
図４はこの制御部２００による制御のタイミングである。
【００２８】
次に、図２乃至８を用いて本発明に係る給紙装置の実施形態の動作を説明する。
図２は、手差しトレイ１０３に用紙が積まれ、ピックアップアーム１１１とピックアップ圧リンク１１２との当接によって、ピックアップコロ１１０が積載された用紙の最上紙１０１から離れている、給紙スタンバイの状態を示している。
上記状態で上記複写機の操作部２５０にて「スタート」キーが押下されると、ピックアップ圧ソレノイド１１３がオンとなり（図４のＴ１）、ピックアップアーム１１１とピックアップ圧リンク１１２との当接を解除する。
この当接の解除により、ピックアップ圧スプリング１１４の引っ張り力でピックアップアーム１１１が引っ張られ、ピックアップアーム１１１のピックアップコロ１１０側端部が下方に傾く。これにより、図５に示すように、ピックアップコロ１１０が最上紙１０１に当接される。
【００２９】
次に、駆動モータ１５０が回転し（図４のＴ２）、タイミングベルト１５１がピックアップコロ１１０とフィードコロ１２０とリバースコロ１３０とに駆動を伝える。手差しトレイ１０３に積載された用紙は、ピックアップコロ１１０により呼び出され、分離パッド１４０と規制部材１４１によりプレ分離されて分離部まで搬送される。このとき、図６に示すように、最上紙１０１と２枚目の用紙１０２との間で生じる摩擦力や密着力により、最上紙１０１と同時に２枚目の用紙１０２も分離部へ搬送されたとする。
【００３０】
すると、リバーストルクリミッタ１３１を介してリバースコロ１３０が逆転し、重送された用紙１０２を逆送して最上紙１０１との分離を行う。この様子を図７に示す。
このとき、逆送された用紙１０２は、ピックアップコロ１１０の当接圧により用紙上での滑り出しを防止される。このことにより、ピックアップコロ１１０の当接位置から上流側へ飛び出しや、手差しトレイ１０３から落下を防ぐことができる。
【００３１】
また、逆送された用紙１０２は、リバースコロ１３０による逆送する搬送力ｂと、上記搬送力ｂの反力ｄとを上記用紙１０２の両端から向き合うように受けることで、ピックアップコロ１１０と分離部との間で座屈する。
ここで、従来の手差し給紙装置においてピックアップコロを用紙に当接したまま用紙先端の分離を行う場合、用紙のコシによって用紙全体が逆送しようとするため、リバースコロの搬送力を大きく設定しなければ分離ができなかった。
本実施例では、座屈空間を設けることにより上記用紙１０２の座屈部が座屈空間に退避するため、用紙全体を逆送することなく、上記用紙１０２の先端を分離することができる。
【００３２】
重送された用紙１０２がリバースコロ１３０によって分離される一方で、最上紙１０１はフィードコロ１２０によってレジストローラ対１３（図１参照）のニップ部まで搬送される。このとき、送られた最上紙１０１の先端をレジストセンサ１４が検知し（図４のＴ３）、レジストタイミングを設定する。
そして、最上紙１０１の先端部がレジストローラ対１３のニップ部に突き当たり一定のたわみ量を確保すると、駆動モータ１５０がオフとなり（図４のＴ４）、フィードコロ１２０と、リバースコロ１３０と、ピックアップコロ１１０との回転を止める。この駆動モータ１５０のオフタイミングは、上記レジストタイミングによって決められる。
また、駆動モータ１５０がオフと同時に、ピックアップ圧ソレノイド１１３がオフになり（図４のＴ５）、ピックアップコロ１１０の当接を解除する。
【００３３】
図８は、図７の状態からピックアップコロ１１０の当接が解除された状態を示している。
ピックアップコロ１１０の当接が解除されたことで、２枚目の用紙１０２の座屈は、用紙のコシによって直線状に戻る。
【００３４】
次に、レジストローラ対１３のニップ部と分離部の間に一定のたわみ量を確保した後、所定のタイミングでレジストクラッチがオンとなり（図４のＴ６）、レジストローラ対１３が回転し始め、最上紙１０１を二次転写装置２４（図１参照）に向かって送り出す。
このレジストローラ対１３による上記用紙１０１の搬送の間、上記用紙１０１とフィードコロ間で生じる摩擦力によって、フィードコロ１２０は上記用紙１０１に連れ回りをする。また、フィードコロ１２０の回転により、フィードコロ１２０とタイミングベルト１５１で繋がっているリバースコロ１３０も、フィードコロ１２０の回転を駆動として回転する。
この一連の連れ回りにより、レジストローラ対１３による用紙の搬送の間、最上紙１０１の摩擦で２枚目の用紙１０２の先端部が分離部に入り込んだ場合でも、２枚目の用紙１０２を逆送することができる。
【００３５】
ここで、レジストローラ対１３が最上紙１０１を搬送する間に、このリバースコロ１３０が２枚目の用紙１０２を逆送する際の搬送力について触れる。
レジストローラ対１３が最上紙１０１を搬送する間、フィードコロ１２０の駆動は、駆動モータ１５０とタイミングベルト１５１間に備えた駆動ギヤの電磁クラッチにより、最上紙１０１とフィードコロ１２０間に生じる摩擦力のみとなる。フィードコロ１２０の駆動はタイミングベルト１５１を介してリバースコロ１３０に伝わる。したがって、リバースコロ１３０が２枚目の用紙１０２を逆送する搬送力は、最上紙１０１とフィードコロ１２０間に生じる摩擦力のみとなり、分離された２枚目の用紙１０２が勢い良く逆送されることはない。
【００３６】
なお、プリントジョブが複数枚にわたる場合は、レジストローラ対１３により搬送された最上紙１０１の後端が給紙センサ（図示せず）を通過すると、ピックアップソレノイドがオンになる。そして、ピックアップ圧リンク１１２が作動してピックアップコロ１１０を用紙面に当接させ、駆動モータ１５０の駆動がオンになり、フィードコロ１２０とピックアップコロ１１０の回転により用紙１０２が搬送される。
【００３７】
＜第１の変形例＞
次に、本実施形態に係る複写機の手差し給紙装置の第１の変形例について、図９を用いて説明する。
図９は、本実施形態に係る手差し給紙装置の第１の変形例の要部の拡大図である。
この手差し給紙装置は、座屈空間の開口部を塞ぐ遮蔽板１３６、この遮蔽板にリバースコロ１３０からの駆動を伝える駆動ギヤ１３２、この駆動ギヤ１３２と噛み合う中継ギヤ１３３、この中継ギヤ１３３と噛み合う従動ギヤ１３４とを備えている。
また、駆動ギヤ１３２はワンウェイクラッチ（図示しない）を有し、リバースコロ１３０の逆転時にのみ、駆動ギヤ１３２を回転させる。上記従動ギヤ１３４は、遮蔽板駆動トルクリミッタ１３５を有している。
【００３８】
また、上記遮蔽板１３６には下から押し上げる位置に遮蔽板戻しスプリング１３７を備えている。
その他、特に説明しない各部は本実施形態と同様に構成され、同様に機能する。
【００３９】
次に、図９乃至１１を用いて第１の変形例の動作を説明する。
図９は、給紙スタンバイの状態を示している。この状態から分離部に２枚以上の用紙が進入するまでの経緯は、上記実施形態と同様であるため、説明を省略する。
分離部に２枚の用紙が送られると、ワンウェイクラッチによって空回りしていた駆動ギヤ１３２が、リバースコロ１３０の逆転に連動して回転する。この駆動ギヤ１３２が中継ギヤ１３３を介して従動ギヤ１３４を回転させ、従動ギヤ１３４が遮蔽板１３６を押し下げる。
このとき、押し下げられた遮蔽板１３６の端部が凹部の底に接触するが、遮蔽板駆動トルクリミッタ１３５により従動ギヤ１３４空回りし、駆動ギヤ１３２からの回転を遮蔽板１３６に伝えず、遮蔽板１３６の破損を防ぐ。
【００４０】
図１０は、図９の状態から重送された用紙が分離され、２枚目の用紙１０２が座屈した状態を示す。
分離された用紙１０２は、ピックアップコロ１１０による搬送方向への搬送力とリバースコロ１３０の逆送する向きへの搬送力とによって座屈し、遮蔽板１３６が押し下がったことにより開いた座屈空間へと回避する。そして、最上紙１０１がレジストローラ対１３と分離部の間で所定のたわみを確保すると、駆動モータ１５０がオフになる。駆動モータ１５０がオフになることで、リバースコロ１３０の逆転によって遮蔽板１３６を押し下げていた力が解除される。
遮蔽板１３６を押し下げていた力の解除により、図１１に示すように、遮蔽板戻しスプリング１３７の反力によって遮蔽板１３６が押し上げられる。
【００４１】
座屈空間の開口部を塞ぐように開閉可能な遮蔽板１３６を設けることにより、用紙を分離部に送る時、用紙の先端を座屈空間の壁面に衝突させることなく送ることができる。また、リバースコロ１３０の逆転時にのみ遮蔽板１３６が押し下げられるため、分離された用紙が回避するときにのみ、座屈空間を作ることができる。
【００４２】
＜第２の変形例＞
次に、本実施形態に係る複写機の手差し給紙装置の第２の変形例について、図１２を用いて説明する。
図１２は、本実施形態に係る手差し給紙装置の第２の変形例の要部の拡大図である。
この手差し給紙装置は、座屈空間の開口部を開閉するマイラ１３８を備えている。
マイラ１３８は座屈空間の分離部側壁面を基点として設けられ、用紙の座屈力よりもの弾性力が低いものを適用している。その他、特に説明しない各部は上記実施形態と同様に構成され、同様に機能する。
【００４３】
次に、図１２乃至１４を用いて第２の変形例の動作を説明する。
図１０は、給紙スタンバイの状態を示している。この状態から分離部に２枚以上の用紙が進入するまでの経緯は、上記実施形態と同様であるため、説明を省略する。
分離部に２枚の用紙が進入すると、リバースコロ１３０が逆転し重送された用紙１０２を逆送する。
図１３は、図１２の状態から重送された用紙が分離され、２枚目の用紙１０２が座屈した状態を示す。分離された用紙１０２は、ピックアップコロ１１０による搬送方向への搬送力とリバースコロ１３０の逆送する向きへの搬送力とによって座屈し、この座屈部がマイラ１３８を押し下げることで座屈空間へ回避する。
【００４４】
そして、最上紙１０１がレジストローラ対１３と分離部の間で所定のたわみを確保すると、駆動モータ１５０がオフになる。駆動モータがオフになることで、リバースコロ１３０による逆送する向きの搬送力が無くなり、２枚目の用紙１０２の座屈力が弱まる。このことで、図１４に示すように、マイラ１３８は自体の弾性により上記用紙１０２の座屈部を押し上げる。
【００４５】
座屈空間の開口部を塞ぐように開閉可能なマイラ１３８を設けることにより、用紙を分離部に送る時、用紙の先端を座屈空間の壁面に衝突させることなく送ることができる。また、マイラ１３８が用紙の座屈力よりも弾性の低い部材であることにより、マイラ１３８を押し下げるための開閉機構を必要としない。
【００４６】
なお、以上実施形態におけるプレ分離については、公知の技術を適用することで、分離性能を高めることができる。
例えば、特許文献１では、規制部材が分離部に向かって徐々に高くなっていることにより、用紙の先端を捌く方法が提案され、特許文献２では、上記規制部材に溝状のシート材束捌き手段を形成することで用紙の先端を捌く方法が提案されている。
特許文献３は、積載用紙と用紙積載部の間に隙間が開くように用紙積載部の表面を凹形状にし、ピックアップコロの接・離動作によって用紙の先端側を捌く方法が提案されている。
特許文献４は、上記凹部形状による隙間をピックアップコロの用紙面への当接位置よりも搬送方向上流に設け、ピックアアップコロの接・離動作によって用紙の先端だけでなく用紙全体が全体的に捌かれる方法が提案されている。
さらに、ピックアップコロの用紙面への押し圧回数を用紙の積載枚数や紙種によって可変させる可変手段を備えることにより、用紙の捌きをより確実に行える技術が提案されている。
【００４７】
以上に説明したものは一例であり、本発明は、次の態様毎に特有の効果を有する。
＜態様Ａ＞
重送された用紙の揃った先端部の分離を行う可能性がある期間に、ピックアップコロ１１０を手差しトレイ１０３に複数枚積載された用紙の表面に当接状態とする。これによれば、上記実施形態について説明したように、エンドフェンスを用いずに逆送された用紙の給紙が不可能な状態を防ぐことができる。
さらに、ピックアップコロ１１０と分離部の間の搬送経路上に、リバースコロ１３０により逆送された用紙１０２の座屈部分が退避可能な空間を備える。これによれば、上記実施形態について説明したように、エンドフェンスを用いた給紙装置同等の分離性能を保つことができる。
＜態様Ｂ＞
また、態様Ａにおいて、上記空間の開口部を塞ぐように、開閉可能な遮蔽板１３６を備える。これによれば、上記実施形態の第１の変形例について説明したように、用紙１０２の座屈部分が退避可能な空間を設けた場合でもスムーズな用紙の搬送を行うことができる。
＜態様Ｃ＞
また、態様Ｂにおいて、上記遮蔽板１３６がリバースコロ１３０が逆転したときのみ開く可動部を備える。これによれば、上記実施形態の第１の変形例について説明したように、用紙１０２の座屈部分が退避可能な空間を設けた場合でもスムーズな用紙の搬送を行うことができる。また、逆送された用紙が上記空間にスムーズに回避できる。
＜態様Ｄ＞
また、態様Ｂにおいて、上記遮蔽板１３６に用紙の座屈力よりも弾性の低いマイラ１３８を備える。これによれば、上記実施形態の第２の変形例について説明したように、態様Ｃの遮蔽板１３６を開閉する機構が不要になるため、より安価に態様Ｃと同等の効果を得ることができる。
＜態様Ｅ＞
また、態様Ａ乃至Ｄの給紙装置を備えた画像形成装置において、態様Ａ乃至Ｄのいずれかを１項記載の給紙装置を備えることで、給紙の際に重送による問題を防ぐことができる。
【符号の説明】
【００４８】
１  積載部
２  最上紙
３  ２枚目の用紙
４  ピックアップコロ
５  フィードコロ
６  リバースコロ
７  手差しトレイ
８  給紙センサ
９  分離パッド
１０  給紙部
１１  給紙カセット
１２  搬送ローラ
１３  レジストローラ対
１４  レジストセンサ
１５  レジストモータ
２０  画像形成部
３０  原稿走査部
３１  原稿載置台
３２  スキャナ
３３  自動原稿給送装置
２２  中間転写ベルト
２２Ａ  ベルト張架ローラ
２２Ｂ  ベルト張架ローラ
２２Ｃ  二次転写対向ローラ
２２Ｄ  テンションローラ
２１  感光体
２８  書き込み装置
２４  二次転写装置
２４Ａ  駆動ローラ
２４Ｂ  二次転写ベルト
２３  ベルトクリーニング装置
２５  定着装置
２６  搬送切り換え爪
２７  排紙トレイ
１００  手差し給紙装置
１０１  最上紙
１０２  ２枚目の用紙
１０３  手差しトレイ
１１０  ピックアップコロ
１１１  ピックアップアーム
１１２  ピックアップ圧リンク
１１３  ピックアップ圧ソレノイド
１１４  ピックアップ圧スプリング
１２０  フィードコロ
１３０  リバースコロ
１３１  リバーストルクリミッタ
１３２  駆動ギヤ
１３３  中継ギヤ
１３４  従動ギヤ
１３５  遮蔽板駆動トルクリミッタ
１３６  遮蔽板
１３７  遮蔽板戻しスプリング
１３８  マイラ
１４０  分離パッド
１４１  規制部材
１５０  駆動モータ
１５１  タイミングベルト
２００  制御部
２５０  操作部
ａ  最上紙による２枚目の用紙の搬送力μｐ・Ｐｂ
ｂ  リバースコロによる２枚目の用紙の搬送力μｒ・Ｐｂ
ｃ  最上紙１０１による２枚目の用紙への搬送力μｐ・Ｆ
ｄ  ２枚目の用紙による３枚目の用紙への搬送力μｐ・Ｆ
【先行技術文献】
【特許文献】
【００４９】
【特許文献１】特開２００７−１６８４号公報
【特許文献２】特開２０００−３４４３７２号公報
【特許文献３】特許第３６９７５３６号公報
【特許文献４】特許第３８６０９１８号公報
【図１】
2015107846.tif 000005
【図２】
2015107846.tif 000006
【図３】
2015107846.tif 000007
【図４】
2015107846.tif 000008
【図５】
2015107846.tif 000009
【図６】
2015107846.tif 000010
【図７】
2015107846.tif 000011
【図８】
2015107846.tif 000012
【図９】
2015107846.tif 000013
【図１０】
2015107846.tif 000014
【図１１】
2015107846.tif 000015
【図１２】
2015107846.tif 000016
【図１３】
2015107846.tif 000017
【図１４】
2015107846.tif 000018
【図１５】
2015107846.tif 000019
【図１６】
2015107846.tif 000020
【図１７】
2015107846.tif 000021
【図１８】
2015107846.tif 000022
【図１９】
2015107846.tif 000023
【図２０】
2015107846.tif 000024